(57)【要約】【課題】複写禁止画像が複写されるのをより確実に防止することが可能な画像処理装置及び画像処理方法を提供する。【解決手段】判断部が原稿読み取りの開始を指示すると（Ｓ１０１）、原稿読み取り装置は、原稿読み取りを開始する（Ｓ１０２）。遅延部が読み取られた画像データを遅延させる（Ｓ１０３）。遅延させている間に、複写禁止情報検出部は、複写禁止情報が含まれているかを検出する（Ｓ１０４）。判断部は、検出結果により、読み取った画像が複写禁止か否かを判定する（Ｓ１０５）。複写禁止の画像は消去され（Ｓ１０６）、その画像の代わりに、生成した禁止表示画像を画像再生部が出力した後に（Ｓ１０７）、次の原稿があるか否かを判断部が判断する（Ｓ１０８）。複写禁止でない画像は、メモリに書き込まれた後に（Ｓ１０９）、出力される（Ｓ１１０）。【選択図】図３
2007158645.tif 000002
【特許請求の範囲】
【請求項１】
画像読み取り部により読み取られた原稿の画像を外部へ出力するために一旦画像が書き込まれる記憶媒体を備える画像処理装置であって、
前記画像読み取り部により読み取られた画像に含まれている当該画像の出力禁止を表す禁止情報を検出する検出部と、
前記検出部の検出結果が出るまで前記画像読み取り部により読み取られた画像のデータが前記記憶媒体へ書き込まれるのを遅延させる遅延部と、
前記検出部の検出結果に応じて前記記憶媒体への書き込みを制御する制御部と、
を含む画像処理装置。
【請求項２】
前記制御部は、禁止情報が検出された画像を前記記憶媒体に書き込まず、かつ、当該禁止情報が検出された画像が出力されることになっていた部分に出力が禁止されたことを示す代用画像を出力するように制御することを特徴とする請求項１に記載の画像処理装置。
【請求項３】
前記制御部は、禁止情報が検出された画像を前記記憶媒体に書き込まず、かつ、当該禁止情報が検出された画像が出力されることになっていた部分を画像非出力領域とするように制御することを特徴とする請求項１に記載の画像処理装置。
【請求項４】
前記制御部は、禁止情報が検出された画像を前記記憶媒体に書き込まず、かつ、当該禁止情報が検出された画像が出力されることになっていた部分に次の出力すべき画像が出力されるように制御することを特徴とする請求項１に記載の画像処理装置。
【請求項５】
前記検出部により禁止情報が検出された禁止画像が出力されることになっていた部分に出力が禁止されたことを示す代用画像を出力するか、当該部分を画像非出力領域とするか、又は当該部分に次の出力すべき画像を出力するかの選択を受け付ける選択受付部を更に含むことを特徴とする請求項１に記載の画像処理装置。
【請求項６】
原稿の画像を読み取り、
読み取られた原稿の画像に含まれている画像の出力禁止を示す禁止情報を検出する検出処理を行い、
読み取られた原稿の画像を記憶媒体へ出力するのを前記検出処理が終了するまで待ち、
前記検出処理により禁止情報を検出した原稿の画像を前記記憶媒体へ出力するのを中止することを含む画像処理方法。
【請求項７】
前記記憶媒体への出力が中止された原稿の画像が出力されることになっていた部分に出力が禁止されたことを示す代用画像を出力することを特徴とする請求項６に記載の画像処理方法。
【請求項８】
前記記憶媒体への出力が中止された原稿の画像が出力されることになっていた部分を画像非出力領域とすることを特徴とする請求項６に記載の画像処理方法。
【請求項９】
前記記憶媒体への出力が中止された原稿の画像が出力されることになっていた部分に次の出力すべき画像を出力することを特徴とする請求項６に記載の画像処理方法。
【発明の詳細な説明】
【技術分野】
【０００１】
本発明は、出力禁止原稿の出力を防止するための画像処理装置及び画像処理方法に関するものである。
【背景技術】
【０００２】
近年、高性能のカラー画像複写装置が普及してきており、画像入出力機器の高画質化に伴って、さらに原稿画像を忠実に複写することが可能となってきている。一方、このような画像複写装置を悪用した紙幣や有価証券などの偽造を防止することが社会的に重要になってきている。そこで、カラー原稿をデジタル的に読み取って複写する際に読み取った原稿画像中の特定パターンを識別し、紙幣や有価証券などの複写禁止物であると判定された場合には、画像の再現（コピー出力）を禁止するという発明が各種提案されている（例えば、特許文献１参照）。
【０００３】
この特許文献１には、スキャナで読み取った画像データ中にマル秘ナンバリングのパターンが存在するか否かを検知するマル秘ナンバリング検知ボードと、マル秘ナンバリング検知ボードによってマル秘ナンバリングが検知された時点から画像データにマスク処理を施す画像処理部とを備えたデジタル複写機が開示されている。そして、このデジタル複写機は、スキャナで読み取った画像データ中にマル秘ナンバリングが検知された場合に、画像データにマスク処理を施して白紙排出するものである。
【０００４】
【特許文献１】特開平７−２７３９７５号公報
【発明の開示】
【発明が解決しようとする課題】
【０００５】
しかしながら、特許文献１に開示された技術によれば、複写禁止を検知した時点から画像のマスク処理を行うので、複写禁止を検知するまでの画像データが出力されてしまう。したがって、複写禁止の画像がマスク処理されないままに複写されてしまうおそれがある。このため、従来の技術を用いると、複写禁止の画像が複写されてしまうことを確実に防止することができなかった。
【０００６】
本発明は、以上のような技術的課題を解決するためになされたものであり、その目的とするところは、複写禁止画像が複写されるのをより確実に防止することが可能な画像処理装置及び画像処理方法を提供することにある。
【課題を解決するための手段】
【０００７】
かかる目的のもと、本発明が適用される画像処理装置は、画像読み取り部により読み取られた原稿の画像を外部へ出力するために一旦画像が書き込まれる記憶媒体を備えるものである。そして、画像処理装置は、画像読み取り部により読み取られた画像に含まれている画像の出力禁止を表す禁止情報を検出する検出部と、検出部の検出結果が出るまで画像読み取り部により読み取られた画像のデータが記憶媒体へ書き込まれるのを遅延させる遅延部と、検出部の検出結果に応じて記憶媒体への書き込みを制御する制御部と、を含むものである。
【０００８】
制御部は、禁止情報が検出された画像を記憶媒体に書き込まず、かつ、禁止情報が検出された画像が出力されることになっていた部分に出力が禁止されたことを示す代用画像を出力するように制御することを特徴とすることができる。また、制御部は、禁止情報が検出された画像を記憶媒体に書き込まず、かつ、禁止情報が検出された画像が出力されることになっていた部分を画像非出力領域とするように制御することを特徴とすることができる。また、制御部は、禁止情報が検出された画像を記憶媒体に書き込まず、かつ、禁止情報が検出された画像が出力されることになっていた部分に次の出力すべき画像が出力されるように制御することを特徴とすることができる。
【０００９】
ここで、検出部により禁止情報が検出された禁止画像が出力されることになっていた部分に出力が禁止されたことを示す代用画像を出力するか、この部分を画像非出力領域とするか、又はこの部分に次の出力すべき画像を出力するかの選択を受け付ける選択受付部を更に含むことを特徴とすることができる。
【００１０】
他の観点から捉えると、本発明が適用される画像処理方法は、原稿の画像を読み取り、読み取られた原稿の画像に含まれている画像の出力禁止を示す禁止情報を検出する検出処理を行い、読み取られた原稿の画像を記憶媒体へ出力するのを検出処理が終了するまで待ち、検出処理により禁止情報を検出した原稿の画像を記憶媒体へ出力するのを中止することを含むものである。
【発明の効果】
【００１１】
本発明によれば、複写禁止画像が複写されることをより確実に防止することが可能になる。
【発明を実施するための最良の形態】
【００１２】
以下、添付図面を参照して、本発明の実施の形態について詳細に説明する。
図１は、本実施の形態に係る画像処理装置を備える画像形成装置の全体構成を示す概略構成図である。
図１に示す画像形成装置１は、所謂タンデム型の装置であって、例えば、電子写真方式にて各色成分のトナー像が形成される複数の画像形成ユニット１１Ｙ，１１Ｍ，１１Ｃ，１１Ｋと、各画像形成ユニット１１Ｙ，１１Ｍ，１１Ｃ，１１Ｋにて形成された各色成分トナー像を順次転写（一次転写）して保持させる中間転写ベルト１６と、を備えている。また、画像形成装置１は、中間転写ベルト１６上に転写された重ね画像を用紙（媒体）Ｐに一括転写（二次転写）させる二次転写装置２０と、二次転写された画像を用紙Ｐ上に定着させる定着装置３０と、を備えている。
【００１３】
本実施の形態において、各画像形成ユニット１１Ｙ，１１Ｍ，１１Ｃ，１１Ｋは、矢印Ａ方向に回転する感光体ドラム１２の周囲に配置される電子写真用デバイスとして、これらの感光体ドラム１２を帯電させる帯電器１３と、感光体ドラム１２上に静電潜像を書き込むレーザ露光器１４（図中露光ビームを符号Ｂｍで示す）と、が順次配置されている。また、他の電子写真用デバイスとして、各色成分トナーが収容されて感光体ドラム１２上の静電潜像をトナーにより可視像化する現像器１５と、感光体ドラム１２上に形成された各色成分トナー像を中間転写ベルト１６に転写する一次転写ロール１７と、感光体ドラム１２上の残留トナーを除去するドラムクリーナ１８と、が順次配置されている。
中間転写ベルト１６は、各種ロールによって図に示す矢印Ｂ方向に回動可能に構成されている。そして、画像形成ユニット１１Ｙ，１１Ｍ，１１Ｃ，１１Ｋは、中間転写ベルト１６の上流側から、黄（Ｙ色）、マゼンタ（Ｍ色）、シアン（Ｃ色）、黒（Ｋ色）の順に配置されている。
【００１４】
二次転写装置２０は、中間転写ベルト１６のトナー像担持面側に圧接配置される二次転写ロール２１と、中間転写ベルト１６の裏面側に配置されて二次転写ロール２１の対向電極をなすバックアップロール２２と、を備えている。また、二次転写ロール２１の下流側には、二次転写後の中間転写ベルト１６の表面をクリーニングするベルトクリーナ１９が設けられている。
【００１５】
図１に示す画像形成装置１は、原稿を読み取って画像データを出力する原稿読み取り装置５０を備えている。この原稿読み取り装置５０は、透明な原稿台にセットされた原稿の画像を読み取るものである。原稿読み取り装置５０は、例えば、ランプ、ミラー及びキャリッジ等からなる光学走査系と、この光学走査系で走査された光学像を結像させるレンズ系と、このレンズ系で結像された光学像を受光して電気信号に変換するＣＣＤ等の読み取りセンサと、を有する。
また、原稿読み取り装置５０は、各装置（各部）の動作を制御する制御部４０を有する。制御部４０には、ユーザに通知すべき内容を表示する表示デバイス（表示画面）とユーザが指示内容を入力するための入力部とを有するＵＩ６０が接続されている。
【００１６】
次に、この画像形成装置１の作像プロセスについて説明する。ユーザによりスタートスイッチ（図示せず）がオン操作されると、所定の作像プロセスが実行される。具体的に述べると、原稿読み取り装置５０において読み取られた原稿の画像が制御部４０に出力される。制御部４０は、後述するメモリに４色（Ｙ，Ｍ，Ｃ，Ｋ）の画像データを一時的に蓄積し、その蓄積されている画像データに基づいて各色のトナー像形成が行われる。
【００１７】
すなわち、画像処理によって得られた各色の画像記録信号に基づいて画像形成ユニット１１Ｙ，１１Ｍ，１１Ｃ，１１Ｋをそれぞれ駆動する。そして、各画像形成ユニット１１Ｙ，１１Ｍ，１１Ｃ，１１Ｋでは、帯電器１３により一様に帯電された感光体ドラム１２に対し、画像記録信号に応じた静電潜像が、レーザ露光器１４によりそれぞれ書き込まれる。また、書き込まれた各静電潜像を各色のトナーが収容される現像器１５により現像して各色のトナー像が形成される。
【００１８】
そして、各感光体ドラム１２に形成されたトナー像は、各感光体ドラム１２と中間転写ベルト１６とが接する一次転写位置で、一次転写ロール１７により印加される一次転写バイアスにより感光体ドラム１２から中間転写ベルト１６の表面に一次転写される。このようにして中間転写ベルト１６に一次転写されたトナー像は中間転写ベルト１６上で重ね合わされ、中間転写ベルト１６の回動に伴って二次転写位置へと搬送される。
【００１９】
一方、用紙Ｐは、所定のタイミングで二次転写装置２０の二次転写位置へと搬送され、中間転写ベルト１６（バックアップロール２２）に対して二次転写ロール２１が用紙Ｐをニップする。そして、二次転写ロール２１とバックアップロール２２との間に形成される二次転写電界の作用で、中間転写ベルト１６に担持された重ねトナー像が用紙Ｐに二次転写される。
その後、トナー像が転写された用紙Ｐは定着装置３０へと搬送され、トナー像の定着が行われる。一方、二次転写後の中間転写ベルト１６は、ベルトクリーナ１９によって残留トナーが除去される。
【００２０】
図２は、制御部４０の構成を説明するためのブロック図である。図２における信号処理部５１は、原稿読み取り装置５０（図１参照）の図示しないセンサから得られた画像情報を処理するものである。
図２に示すように、原稿読み取り装置５０の制御部４０は、操作制御部４１及び画像作成制御部４２を備えている。操作制御部４１は、信号処理部５１で処理された画像データを取得して画像データから複写禁止情報を検出する複写禁止情報検出部４１１と、信号処理部５１で処理された画像データを取得して画像データを一時的に遅延させる遅延部４１２と、複写禁止情報検出部４１１及び遅延部４１２に接続された判断部４１３と、を有する。
【００２１】
画像作成制御部４２は、複写禁止情報検出部４１１により複写禁止情報が検出されなかった画像が入力され、その入力された画像に対して所望の画像処理を施す画像処理部４２１と、複写禁止情報検出部４１１により複写禁止情報が検出された画像の代わりに出力される禁止表示画像（代用画像）を判断部４１３の制御により生成する禁止表示画像生成部４２２と、を有する。
なお、禁止表示画像生成部４２２で生成される禁止表示画像とは、複写禁止の画像であることをユーザに認識させるために出力される画像をいい、例えば「複写禁止」という文字からなる画像を用いることができる。
【００２２】
画像処理部４２１には、複写禁止情報が検出されなかった画像が書き込まれる記憶媒体としての図示しないメモリを内部に有する。すなわち、図示しないメモリに書き込まれた画像は、複写が禁止されていない画像であり、用紙Ｐに出力されるべき画像である。なお、本実施の形態では、図示しないメモリに書き込まれた画像としては、画像形成ユニット１１により用紙Ｐに複写されるものであるが、図示しないＰＣ装置やファクシミリ装置等にも出力されるように構成することも考えられる。
【００２３】
また、画像作成制御部４２は、画像処理部４２１からの画像と禁止表示画像生成部４２２からの画像のいずれか一方を判断部４１３の制御により選択出力する選択部４２３と、選択部４２３から画像を取得して判断部４１３の制御により出力画像を再生する画像再生部４２４と、を有する。なお、画像再生部４２４で再生された画像は、画像形成ユニット１１（１１Ｙ，１１Ｍ，１１Ｃ，１１Ｋ）に送られる。
【００２４】
図３は、原稿を複写する際の処理手順を示すフローチャートである。
図３に示すように、原稿読み取り装置５０（図１又は図２参照）の図示しない原稿送り装置にセットされた原稿の複写指示がＵＩ６０（図１又は図２参照）を通じて入力されると、操作制御部４１の判断部４１３（図２参照）は、原稿読み取りの開始を原稿読み取り装置５０に指示し（ステップ１０１）、判断部４１３から指示を受けた原稿読み取り装置５０は、原稿読み取りを開始する（ステップ１０２）。
【００２５】
読み取られた画像は、原稿読み取り装置５０の信号処理部５１（図２参照）で処理された後に、複写禁止情報検出部４１１（図２参照）及び遅延部４１２（図２参照）に送られる。そして、遅延部４１２では、複写禁止情報検出部４１１による検出結果が出るまで画像データを遅延させる（ステップ１０３）。このため、複写禁止情報検出部４１１による検出結果が出る前に画像が画像処理部４２１の図示しないメモリに書き込まれてしまうことを回避できる。
【００２６】
一方、複写禁止情報検出部４１１では、画像データに複写禁止情報が含まれていないかどうかを検出し（ステップ１０４）、その検出結果により、判断部４１３は、読み取った画像が複写禁止か否かを判定する（ステップ１０５）。
【００２７】
ステップ１０５において、読み取った画像が複写禁止であると判断したときには、判断部４１３は、遅延部４１２により遅延されている画像データを画像処理部４２１に送ることなく消去することを遅延部４１２に指示する。指示を受けた遅延部４１２は、画像データを消去する（ステップ１０６）。すなわち、複写禁止の画像データは、画像処理部４２１の図示しないメモリには書き込まれない。
【００２８】
さらに、判断部４１３は、禁止表示画像を生成することを禁止表示画像生成部４２２に指示する。指示を受けた禁止表示画像生成部４２２は、禁止表示画像を生成し、選択部４２３に送る。選択部４２３では、判断部４１３の指示を受けて禁止表示画像を画像再生部４２４に送る。画像再生部４２４では、禁止表示画像を再生して画像形成ユニット１１に送る。そして、所定のプロセスを経て用紙Ｐ（図１参照）に出力され（ステップ１０７）、次の原稿があるか否かを判断部４１３が判断し（ステップ１０８）、次の原稿があればステップ１０２に戻り、次の原稿がなければ終了する。
【００２９】
ステップ１０５において、読み取った画像が複写禁止でないと判断したときには、判断部４１３は、遅延部４１２により遅延されている画像データを画像処理部４２１に送ることを遅延部４１２に指示する。指示を受けた遅延部４１２は、画像処理部４２１に画像データを送る。
【００３０】
画像処理部４２１が受け取った画像データは、画像処理部４２１の図示しないメモリに書き込まれる（ステップ１０９）。そして、その画像データについて所望の画像処理を施した後に、その画像データを選択部４２３に送る。選択部４２３では、判断部４１３の指示を受けて画像を画像再生部４２４に送る。その後、画像再生部４２４では、画像を再生して画像形成ユニット１１に送り、所定のプロセスを経て用紙Ｐ（図１参照）に出力された後に（ステップ１１０）、上述したステップ１０８に進む。
【００３１】
図４は、複写禁止画像の原稿を含む複数枚の原稿を図３のフローチャートにより複写する場合を説明するための説明図である。
図４に示すように、５枚の原稿のうち３枚目の原稿が複写禁止画像である。すなわち、画像Ａ，Ｂ，Ｃ，Ｄ，Ｅのうち画像Ｃのみが複写禁止画像である。このため、画像Ａ，Ｂ，Ｄ，Ｅについては複写されている。その一方で、画像Ｃについては、判断部４１３（図２参照）により複写禁止画像であると判断され（図３のステップ１０５参照）、禁止表示画像生成部４２２で生成された禁止表示画像が画像Ｃの代わりに出力画像とされている（図３のステップ１０６及び１０７参照）。
【００３２】
このように、本実施の形態によれば、複写禁止と判断された画像は、図示しないメモリに書き込まれない。言い換えれば、複写禁止画像は、図示しないメモリに蓄積されない。このため、不正コピーを確実に防止することができる。また、読み取られた画像が複写禁止であると判断されたときに、画像形成装置１を停止させないので、複写が禁止されている画像と禁止されていない画像とが混在する原稿を複写する場合でも、複写禁止画像は出力されず、その一方で複写禁止でない画像は正常に出力することが可能になる。なお、本実施の形態では、１回の読み取りで検知可能であり、白黒原稿の場合も検知することができる。
【００３３】
〔第１の変形例〕
図５は、複写禁止画像の原稿を含む複数の原稿を複写する場合を説明するための第１の変形例に係る説明図である。
図５に示すように、複写禁止情報が検出されなかった画像Ａ，Ｂ，Ｄ，Ｅについては複写されているものの、複写禁止情報が検出された画像Ｃについては、出力画像とされず、また、禁止表示画像も出力されない。すなわち、画像Ｃが出力されることになっていた用紙の部分は白紙のままであり、画像不出力領域としている。
このようにすることで、図２に示す画像作成制御部４２において、禁止表示画像生成部４２２及び選択部４２３を省略することができ、また、不要なトナーの消費を抑制することができるので、コスト削減を実現することができる。
【００３４】
〔第２の変形例〕
図６は、複写禁止画像の原稿を含む複数の原稿を複写する場合を説明するための第２の変形例に係る説明図である。
図６に示すように、第２の変形例の場合には、８枚の原稿のうち３枚目及び６枚目の原稿が複写禁止画像である。すなわち、画像Ａ〜Ｈのうち画像Ｃ及び画像Ｆが複写禁止画像である。このため、画像Ａ，Ｂ，Ｄ，Ｅ，Ｇ，Ｈについては複写されているが、画像Ｃ及び画像Ｆについては、出力されず、白紙のままである。
【００３５】
また、図６に示すように、第２の変形例の場合には、複数の画像を１枚にまとめるページ編集がなされた形で出力されている。すなわち、出力用紙の一面に複数枚分（図６では４枚分）の原稿画像を出力するＮｕｐ合成が行われる。このようなＮｕｐ合成をＵＩ６０（図２参照）を通じてユーザが指定すると、画像作成制御部４２の画像再生部４２４（図２参照）にてＮｕｐ合成が行われる。
なお、このようなページ編集を行う場合にも、ページ編集がされる前に複写禁止画像は消去されるので、複写禁止画像が誤って出力されることを防ぐことができる。
【００３６】
〔第３の変形例〕
図７は、複写禁止画像の原稿を含む複数の原稿を複写する場合を説明するための第３の変形例に係る説明図である。
図７に示すように、第３の変形例の場合には、６枚の原稿のうち３枚目から５枚目までの原稿が連続して複写禁止画像である。したがって、画像Ａ〜Ｆのうち画像Ｃ〜Ｅについては出力されない。また、第２の変形例の場合と同様のＮｕｐ合成が行われている。
そして、連続している複写禁止画像の３数分について白紙とするのではなく、１枚分の白紙となるようにまとめられている。すなわち、図２に示す判断部４１３は、複写禁止画像が連続していることを検知すると、画像作成制御部４２の画像再生部４２４（図２参照）に１枚分の白紙になるようにまとめることを指示する。
このように構成することで、不要な用紙の出力を省くことができ、ランニングコストを削減することができる。また、ユーザとしても利用しやすい形で用紙の出力が行われる。
【００３７】
〔第４の変形例〕
図８は、複写禁止画像の原稿を含む複数の原稿を複写する場合を説明するための第４の変形例に係る説明図である。
図８に示すように、第４の変形例の場合には、第３の変形例の場合と同様に、画像Ａ〜Ｆのうち画像Ｃ〜Ｅが複写禁止画像であり、いずれも出力されない。また、Ｎｕｐ合成が行われている。そして、複写禁止画像が出力することになっていた用紙Ｐの部分には、次の複写される画像が複写される。すなわち、複写禁止画像である画像Ｃ〜Ｅに対応する出力用紙の面をつめて、後続の複写できる画像Ｆを繰り上げた位置に複写するものである。
このように構成することで、第３の変形例の場合よりも更に不要な用紙の出力を省くことができ、ランニングコストを更に削減することができる。
【００３８】
〔第５の変形例〕
図９は、第５の変形例に係るＵＩ６０の表示画面を説明するための説明図である。
複写禁止画像のときには、図９に示すように、判断部４１３は、ＵＩ６０の表示画面を選択画面に移行させる。すなわち、ＵＩ６０の表示画面には、「禁止表示画像を出力」の選択ボタン６０ａ、「白紙で出力」の選択ボタン６０ｂ及び「詰めて出力」の選択ボタン６０ｃが表示される。
【００３９】
「禁止表示画像を出力」がユーザに選択されると、それを判断部（選択受付部）４１３が受け付けると、判断部４１３は、出力画像が図４に示すように制御する。また、「白紙で出力」が選択されると、判断部４１３は、出力画像が図５ないしは図７に示すように制御する。また、「詰めて出力」が選択されると、判断部４１３は、出力画像が図８に示すように制御される。
【００４０】
このように、複写禁止画像について、複写禁止画像のときにどのように処理されるかをユーザが予め選択することができるので、ユーザの使い勝手が向上する。
【図面の簡単な説明】
【００４１】
【図１】本実施の形態が適用される画像形成装置の全体構成を示した図である。
【図２】制御部の構成を説明するためのブロック図である。
【図３】原稿を複写する際の処理手順を示すフローチャートである。
【図４】複写禁止画像の原稿を含む複数枚の原稿を図３のフローチャートにより複写する場合を説明するための説明図である。
【図５】複写禁止画像の原稿を含む複数の原稿を複写する場合を説明するための第１の変形例に係る説明図である。
【図６】複写禁止画像の原稿を含む複数の原稿を複写する場合を説明するための第２の変形例に係る説明図である。
【図７】複写禁止画像の原稿を含む複数の原稿を複写する場合を説明するための第３の変形例に係る説明図である。
【図８】複写禁止画像の原稿を含む複数の原稿を複写する場合を説明するための第４の変形例に係る説明図である。
【図９】第５の変形例に係るＵＩの表示画面を説明するための説明図である。
【符号の説明】
【００４２】
１…画像形成装置、４０…制御部、４１…操作制御部、４１１…複写禁止情報検出部、４１２…遅延部、４１３…判断部、４２…画像作成制御部、４２１…画像処理部、４２２…禁止表示画像生成部、４２３…選択部、４２４…画像再生部、５０…原稿読み取り装置、５１…信号処理部、６０…ＵＩ
【図１】
2007158645.tif 000003
【図２】
2007158645.tif 000004
【図３】
2007158645.tif 000005
【図４】
2007158645.tif 000006
【図５】
2007158645.tif 000007
【図６】
2007158645.tif 000008
【図７】
2007158645.tif 000009
【図８】
2007158645.tif 000010
【図９】
2007158645.tif 000011